(57)【特許請求の範囲】
【請求項１】
飲食物が盛られた容器を載置するための容器載置部を有する載置台と、前記容器載置部に対して開閉可能に取り付けられた蓋体と、前記容器載置部上への容器の載置に伴い前記蓋体を閉動作させ、前記容器載置部からの前記容器の取り出しに伴い前記蓋体を開動作させるための開閉機構が備えられた飲食物搬送用収容体であって、前記蓋体は前記容器載置部上を覆う蓋本体とこの蓋本体を装着するための装着体から構成され、前記装着体には前記蓋本体を着脱可能に装着するための着脱手段が備えられるとともに、この装着体は前記開閉機構に連動連結され、また前記蓋本体は可撓性を有すると共に、その下端外周縁には径方向外方に突出する係合フランジが設けられ、さらに前記装着体は筒状に形成されて、その内周面には前記係合フランジの上面側が係合可能な第１係合部と前記係合フランジの下面側が係合可能な第２係合部から構成される着脱手段が設けられていることを特徴とする飲食物搬送用収容体。
【請求項２】
第１係合部と第２係合部の少なくともいずれか一方に、蓋本体の装着体への装着時、係合フランジを装着方向に案内するための装着ガイド面と、装着した蓋体の装着体からの取り外し時、係合フランジを取り外し方向に案内するための取り外しガイド面が設けられていることを特徴とする請求項１に記載の飲食物搬送用収容体。
【発明の詳細な説明】
【技術分野】
【０００１】
本発明は、飲食物搬送装置に用いる飲食物搬送用収容体に関する。
【背景技術】
【０００２】
一般に回転寿司と称される飲食店では、客席に沿って循環移動する搬送路を備えた飲食物搬送装置が設置されている。
以上の飲食店では、調理人が寿司などの飲食物を例えば皿などの容器に載せた上で飲食物搬送装置の搬送路上に移し替えて客席に順次搬送する一方、顧客は順次送られてくる寿司などの飲食物を好みに応じて搬送路から適宜取り出して食するようにしている。
【０００３】
しかしながら以上の搬送装置により搬送される寿司は、一定速度で搬送されることから乾燥し易いし、他の客に誤って触れられることも考えられるので、寿司を衛生的に提供することや寿司の乾燥を防止することが課題となっている。
そこで出願人は、先に寿司を盛った皿を入れて搬送装置で搬送出来るようにした飲食物搬送用収容体を開発した。
この飲食物搬送用収容体は、飲食物が盛られた容器を載置するための容器載置部を有する載置台と、この載置台の容器載置部上を覆うために前記容器載置部に対して開閉可能に前記載置台に取り付けられた蓋体と、前記容器載置部上への皿の載置に伴い前記蓋体を閉動作させるとともに前記容器載置部に対して容器を押し上げて前記容器載置部からの前記容器の取り出しに伴い前記蓋体を開動作させるための開閉機構を備えており、また前記開閉機構は、容器載置部への容器の載置に伴い前記容器が当接して前記容器載置部に対して作動する作動体と、この作動体と前記蓋体とを連結し前記作動体の作動を前記蓋体に伝えて閉動作をさせる連結手段と、前記蓋体を開放位置に付勢するための付勢手段を備えたものである。（特許文献１参照）
【０００４】
そして、以上の飲食物搬送用収容体は、載置台上への容器の載置により、容器上の飲食物が蓋体で自動的に覆われ、容器上にのせた飲食物が不用意に乾燥することを抑制できるのは勿論のこと、顧客が誤って飲食物に触れることが防止され得る。
また容器載置部への容器の載置に伴い作動体が作動して、蓋体を閉止位置に位置変更させることができるとともに、載置台からの容器の取り出しにより、作動体が付勢手段を介して作動され蓋体が開放位置に確実に付勢されるのであって、載置台に対する容器の載置又は取り出しに際して、たとえば容器の周縁部を手で持って容器を載置台に載置するか若しくは載置台から取り出すだけで、簡単に容器の出し入れを行なうことができる。
【０００５】
ところで、以上の飲食物搬送用収容体は、蓋体が載置台に開閉可能に組み付けられているので、全体的に嵩高く、そのため飲食物搬送用収容体を洗浄するに際して、蓋体の内面等を洗浄し難いし、また保管に際しても場所をとるなどの不具合がある。
【先行技術文献】
【特許文献】
【０００６】
【特許文献１】特願２０１０−２７４１８１号
【発明の概要】
【発明が解決しようとする課題】
【０００７】
本発明は以上の実情に鑑みて開発されたものであって、目的とするところは、蓋体を載置台から容易に取り外すことが出来、また取り外した蓋体を載置台に簡単に取り付けることの出来る飲食物搬送用収容体を提供することにある。
【課題を解決するための手段】
【０００８】
以上の目的を達成するために、請求項１に記載の発明は、飲食物が盛られた容器を載置するための容器載置部を有する載置台と、前記容器載置部に対して開閉可能に取り付けられた蓋体と、前記容器載置部上への容器の載置に伴い前記蓋体を閉動作させ、前記容器載置部からの前記容器の取り出しに伴い前記蓋体を開動作させるための開閉機構が備えられた飲食物搬送用収容体であって、前記蓋体は前記容器載置部上を覆う蓋本体とこの蓋本体を装着するための装着体から構成され、前記装着体には前記蓋本体を着脱可能に装着するための着脱手段が備えられるとともに、この装着体は前記開閉機構に連動連結され、また前記蓋本体は可撓性を有すると共に、その下端外周縁には径方向外方に突出する係合フランジが設けられ、さらに前記装着体は筒状に形成されて、その内周面には前記係合フランジの上面側が係合可能な第１係合部と前記係合フランジの下面側が係合可能な第２係合部から構成される着脱手段が設けられていることを特徴とする。
【０００９】
請求項２に記載の発明は、請求項１に記載の飲食物搬送用収容体において、第１係合部と第２係合部の少なくともいずれか一方に、蓋本体の装着体への装着時、係合フランジを装着方向に案内するための装着ガイド面と、装着した蓋体の装着体からの取り外し時、係合フランジを取り外し方向に案内するための取り外しガイド面が設けられていることを特徴とする。
【発明の効果】
【００１０】
請求項１に記載の発明によれば、蓋本体を装着体内に挿入して、係合フランジの上下を第１係合部及び第２係合部にそれぞれ係合させるだけで、蓋体を載置台に簡単に取り付けることができ、また係合フランジと第１係合部または第２係合部との係合を離脱させるだけで、蓋体を載置台から容易に取り外すことが出来る。
【００１１】
請求項２に記載の発明によれば、装着ガイド面の案内により容易に蓋本体の係合フランジの上下を第１係合部及び第２係合部にそれぞれ係合させることが出来、また取り外しガイド面の案内により、容易に係合フランジと第１係合部または第２係合部との係合を離脱させることが出来る。
【図面の簡単な説明】
【００１２】
【図１】飲食物搬送装置が備えられた店舗内を平面的に表した説明図。
【図２】飲食物搬送装置の要部の拡大断面図。
【図３】飲食物搬送用収容体の側面図。
【図４】皿を載せた状態の飲食物搬送用収容体の側面図。
【図５】皿を載せた状態の飲食物搬送用収容体の底面図。
【図６】蓋体を切り欠いて示す飲食物搬送用収容体の平面図。
【図７】蓋体を切り欠いて示す飲食物搬送用収容体の正面図。
【図８】蓋本体を装着体から取り外した状態の飲食物搬送用収容体の縦断面図。
【図９】装着体の平面図。
【図１０】蓋体の要部を拡大して示す縦断面図。
【図１１】蓋体の要部を拡大して示す縦断面図。
【図１２】蓋体の別の実施形態の要部を拡大して示す縦断面図。
【図１３】蓋体の別の実施形態の要部を拡大して示す縦断面図。
【図１４】蓋体の別の実施形態の要部を拡大して示す縦断面図。
【図１５】作動体の平面図。
【図１６】作動体の側面図。
【発明を実施するための形態】
【００１３】
以下、本発明の実施形態を説明する。
先ず、図１は寿司店舗内を概略的に示された平面構成図であり、図２は飲食物搬送装置の要部の断面図である。寿司店舗は、図１及び図２に示されるように、客室Ｓ１の各客席に設置されたカウンターテーブル１ａ及び複数の脚付きテーブル１ｂと、厨房室Ｓ２の前面から各テーブル１ａ，１ｂに沿って配置された仕切りハウジング２と、この仕切りハウジング２上に設置された飲食物搬送装置３を備えている。飲食物搬送装置３は、飲食物である寿司Ｆが盛り合された容器を、後記の飲食物搬送用収容体に収容して、厨房室Ｓ２内から各座席、即ち各テーブル１ａ，１ｂに循環搬送するものである。この実施形態では、皿４が寿司を盛り合せる容器として用いられる。
仕切りハウジング２は、図２に示すように、所定間隔へだてて対向する側壁２１，２２と、これらの側壁２１，２２の上端を結ぶ上壁２３と、側壁２１，２２の下端を結ぶ底壁（図示せず）を用いて、断面ボックス状に形成されたものである。そして、この仕切りハウジング２は、厨房室Ｓ２の前面に沿って配設されて厨房室Ｓ２と客室Ｓ１を区画する第１ハウジング部２ａと、第１ハウジング部２ａの長手方向の両端から屈曲して客室Ｓ１内に平行に延びる第２ハウジング部２ｂ及び第３ハウジング部２ｃから構成されている。第２，第３ハウジング部２ｂ，２ｃにおける側壁２１，２２の外側方には、前記のカウンターテーブル１ａと脚付きテーブル１ｂが設置されている。
【００１４】
飲食物搬送装置３は、ハウジング部２の上壁２３に形成された凹所３１内に配備されてモータ駆動により循環移動する搬送路としてのフラットチエンコンベア３２を備えている。そして、フラットチエンコンベア３２の下方の仕切りハウジング２内には、後記の識別部材に書き込まれた情報を読み取るための読み取り装置３０が配備されている。
以上の構成からなる搬送装置３では、寿司Ｆを盛った皿４が、フラットチエンコンベア３２上に順次載せられて厨房室Ｓ２から客室Ｓ１内の各テーブル１ａ・１ｂに向けて搬送され、各テーブルの客は、好みの寿司Ｆが盛られた皿４を後記の飲食物搬送用収容体５から適宜取り出して食するようにしている。
なお容器としての皿４は、平面視円形の皿板４１とこの皿板４１の下面より下方に突出する円筒状の高台４２から構成され、高台４２内における皿板４１の下面には、ＲＦＩＤタグからなる識別部材（図示せず）が貼り付けられている。
【００１５】
本発明にかかる飲食物搬送用収容体は、搬送装置３のフラットチエンコンベア３２上に載せて用いるものであり、次にこの飲食物搬送用収容体を説明する。
図において符号５で示す飲食物搬送用収容体は、基本的には、前述の皿4を載置するための容器載置部６０を有する載置台６と、この載置台６の容器載置部６０上を覆うための蓋体７と、容器載置部６０上への皿４の載置に伴い蓋体７を閉動作させるとともに容器載置部６０上からの皿４の取り出しに伴い蓋体７を開動作させるための開閉機構８から構成されている。
【００１６】
載置台６は、図３に示されるように、容器載置部６０が円筒状のべース筒６１の上端に一体に形成されている。この容器載置部６０は、平面視円形のプレート状に形成された載置板６２から構成され、この載置板６２上に皿４が載置されるようになっている。
また載置板６２の上面には、皿４の高台４２の下端部外周が係合可能なストッパ６２ａが突設されている。このストッパ６２ａの内周面は、高台４２の外周面に接触する平面視湾曲状に形成されている。
【００１７】
蓋体７は、図３にも示すように、容器載置部６０上を覆うための蓋本体７１と、この蓋本体７１を装着するための装着体７２から構成されている。
蓋本体７１は、図８にも示すように椀状（ドーム状）に形成され、その下端外周縁には径方向外方に突出する平面視リング状の係合フランジ７１ａが一体形成されている。
この蓋本体７１は、弾性変形可能なように合成樹脂材料から薄肉に形成されて、可撓性を備えている。
装着体７２は、図９にも示すように円筒状に形成され、その内周の直径は係合フランジ７１ａの外周りの直径と同一である。
この装着体７２の内周面には、図９にも示すように、蓋本体７１を装着体７２に対して着脱可能に装着するための着脱手段９が設けられている。
【００１８】
図１０〜図１１に示す着脱手段９は、係合フランジ７１ａの上面側が係合可能な４つの第１係合部９ａと、係合フランジ７１ａの下面側が係合可能な４つの第２係合部９ｂから構成されている。
第１係合部９ａは、図１０にも示すように、断面三角形に形成されて、蓋本体７１の装着体７２への装着時、係合フランジ７１ａを装着方向に案内するための装着ガイド面９１と、装着した蓋体７１の装着体７２からの取り外し時、係合フランジ７１ａを取り外し方向に案内するための取り外しガイド面９２が設けられている。
第２係合部９ｂは、図１１にも示すように、断面四角形に形成されて、蓋本体７１の装着体７２への装着時、係合フランジ７１ａの下面を受け止めて下方への抜けを阻止するための受け止め面９３が設けられている。
前記した4つの第１係合部９ａ及び４つの第２係合部９ｂは、図９に示すように、装着体７２の内周面に対して周方向に交互に配置されている。
また装着体７２は、その後端部を支点にして容器載置部６０の上方において揺動自由に取り付けられ、装着体７２に装着した蓋本体７１により容器載置部６０に載置された皿４上の飲食物（寿司Ｆ）を覆うようにしている。
【００１９】
具体的には、装着体７２には、その後端部から下方に延びる左右一対のアーム片７３が設けられ、このアーム片の外側面には、枢軸７３ａが一体形成されている。
一方、容器載置板６２の上面後端部には、アーム片７３の外側位置でアーム片７３と対向する左右一対の支持片６３が突設されている。そして、この支持片６３の上部には、嵌合孔６４が開けられており、この嵌合孔６４への枢軸７３ａの嵌合により、装着体７２が容器載置部６０に対し枢軸７３ａを支点にして上下方向に揺動可能に支持される。
なお、装着体７２には手指が通過可能な切り欠き７４が設けられ、皿４の取り出しに際しては、この切り欠き７４の部分から手指が入れられて皿板４１の周縁部が掴まれる。
【００２０】
以上の装着体７２は、開閉機構８に連動連結されている。
開閉機構８は、図８にも示すように、載置台６の容器載置部６２の上面に前後方向にスライド可能に設けられた作動体８１と、この作動体８１を容器載置部６２の前方向に向かって付勢させるための付勢手段としてのコイルスプリング８２を備えている。
作動体８１には、図６にも示すように、その下面に左右一対のガイド部材８３とコイルスプリング８２の取付片８４が突設されている。このガイド部材８３は容器載置部６０の載置板６２に開設された前後方向に延びるガイド孔６２ａに、また取付片８４は載置板６２に開設された前後方向に延びる長孔６２ｂにそれぞれ前後移動自由に遊挿されている。コイルスプリング８２は、前記した取付片８４と、載置板６２の下面の前部側に設けられた取り付け片６２ｃとの間に架け渡されている。これにより、作動体８１は、載置板６３上においてガイド部材８３を介しガイド孔６２ａに沿って前後方向に移動可能に構成されている。また、作動体８１は、後方への移動に伴って伸びるコイルスプリング８２のばね反力により前方向(図８において右方向)に常に付勢されている。
【００２１】
作動体８１には、図５に示すように、皿４の高台４２の外周面が密接するように平面視湾曲面状の受け止め面８１ａが形成されている。また、作動体８１の後端部両側には、図１５にも示すように、上方に延びる左右一対の突片８５が設けられ、これら突片８５の外側面には連結軸８６が突設されている。これらの連結軸８６は、アーム片７３の下端部に形成されたスリット状の長孔７５に介装されることで、作動体８１の後方(図８において左方向)へのスライドに伴って蓋本体７１が閉鎖方向に揺動するとともに作動体８１の前方(図８において右方向)へのスライドに伴って蓋本体７１が開放方向に揺動するようになっている。
【００２２】
以上の構成から成る飲食物搬送用収容体５において、蓋本体７１を装着体７２に装着するには、図８に示すように、蓋本体７１の下端部を装着体７２の上方からこの装着体７２内に嵌め込めばよいのであって、蓋本体７１の下端部を装着体７２の上方からこの装着体７２内に嵌め込むに伴い、係合フランジ７１ａが装着ガイド面９１を介して案内されながら弾性変形する。
そして、係合フランジ７１ａの外周縁が装着ガイド面９１を通過した後、図１０に示すように、取り外しガイド面９２の下端に係合するとともに、図１１に示すように、係合フランジ７１ａの下面が第２係合部９ｂの受け止め面９３で受け止められて、装着体７２への装着が完了する。
【００２３】
一方、以上のように装着体７２に装着された蓋本体７１を取り外す場合には、蓋本体７１を装着体７２に対して強制的に上方に押し上げるだけでよいのであって、蓋本体７１の上方への押し上げに伴い、係合フランジ７１ａが取り外しガイド面９２を介して案内されながら弾性変形する。
そして、係合フランジ７１ａの外周縁が取り外しガイド面９２を通過した段階で、蓋本体７１の装着体７２からの取り外しが完了する。
以上の飲食物搬送用収容体５において、皿４が容器載置部６０の載置板６２上に載置されていない状態では、作動体８１がスプリング８２のばね反力により容器載置部６０に対して前方に移動しているので、蓋本体７１は図３にも示すように開放状態に維持されている。
【００２４】
次に以上の構成からなる飲食物搬送用収容体５の使用態様を説明する。
先ず、調理人が寿司Ｆを皿４の皿板４１上に盛った後、皿板４１の周縁部を手で持って、フラットチエンコンベア３２上に置かれた飲食物搬送用収容体５の載置板６２上に皿４を載せる。そして、その皿４を載置板６２に対して後方に向けて押し込む。すると、開閉機構８の作動体８１が受け止め面８１ａを介して皿４の高台４２の外周面で押されて後方に移動する。これにより、作動体８１の連結軸８６が蓋体７の長孔７５を後向きに押すので、蓋体７が枢軸７３ａを支点にして載置板６２の上面を閉じる方向に揺動する。そして、高台４２の下端部前側の外周面がストッパ６２ａに係合するところまで皿４が後方に移動した時点で、図６にも示すように、高台４２の前部及び後部が容器載置部６２のストッパ６２ａと作動体８１の受け止め面８１ａとにより挟持される。これにより、皿板４１上の寿司Ｆが蓋体７の蓋本体７１で覆われる位置で皿４が載置台６上に保持されるとともに、蓋体７も閉鎖位置で保持されるので不用意に開かない。
【００２５】
一方、顧客は、装着体７２の切り欠き７４より皿板４１の縁部分を手で持って皿４を持ち上げると、ストッパ６２ａと高台４２との当接が解除されて、作動体８１がスプリング８２の作用により復動し、これにより、蓋体７は開いて開放状態が維持される。
このように、寿司Ｆの搬送に際して上記の飲食物搬送用収容体５を用いることにより、皿４に盛られた寿司Ｆが不用意に乾燥することが抑制され得るし、また顧客が誤って寿司Ｆに手などを触れることを防ぐこともできる。加えて、皿４の容器載置部６０への載置又は容器載置部６０からの取り出しに際しては、飲食物搬送用収容体５に直接手を触れるようなことがないので、飲食物搬送用収容体５が不用意に汚れるといった不具合も防止できる。
【００２６】
以上の実施形態では着脱手段９を、係合フランジ７１ａの上面側が係合可能な第１係合部９ａと、係合フランジ７１ａの下面側が係合可能な第２係合部９ｂから構成するとともに、これら第１係合部９ａ及び４つの第２係合部９ｂを、図９に示すように、装着体７２の内周面に対して周方向に交互に配置したが、これに限定されるものではなく、第１係合部９ａ及び４つの第２係合部９ｂを、装着体７２の内周面に対して周方向全周にわたって形成してもよい。
【００２７】
また以上の実施形態では着脱手段９を、係合フランジ７１ａの上面側が係合可能な第１係合部９ａと、係合フランジ７１ａの下面側が係合可能な第２係合部９ｂから構成して、第１係合部９ａには、蓋本体７１の装着体７２への装着時、係合フランジ７１ａを装着方向に案内するための装着ガイド面９１と、装着した蓋体７１の装着体７２からの取り外し時、係合フランジ７１ａを取り外し方向に案内するための取り外しガイド面９２をもうけ、第２係合部９ｂには、蓋本体７１の装着体７２への装着時、係合フランジ９１の下面を受け止めて下方への抜けを阻止するための受け止め面９３を設けたが、例えば図１２〜図１３又は図１４に示す構成としてもよい。
即ち図１２〜図１３に示す実施形態では、着脱手段９を、係合フランジ７１ａの上面側が係合可能な断面直角三角形状の第１係合部９０ａと、係合フランジ７１ａの下面側が係合可能な断面直角三角形状の第２係合部９０ｂから構成している。
そして第１係合部９０ａには、蓋本体７１の装着体７２への装着時、係合フランジ７１ａを装着方向に案内するための装着ガイド面９１０と、係合フランジ９１の上面を受け止めて上方への抜けを阻止するための受け止め面９２０を設けている。
また第２係合部９０ｂには、装着した蓋体７１の装着体７２からの下方への取り外し時、係合フランジ７１ａを下方への取り外し方向に案内するための取り外しガイド面９３０を設けている。
【００２８】
以上の図１２〜図１３に示す実施形態の飲食物搬送用収容体５において、蓋本体７１を装着体７２に装着するには、蓋本体７１の下端部を装着体７２の上方からこの装着体７２内に嵌め込めばよいのであって、蓋本体７１の下端部を装着体７２の上方からこの装着体７２内に嵌め込むに伴い、係合フランジ７１ａが装着ガイド面９１０を介して案内されながら弾性変形する。
そして、係合フランジ７１ａの外周縁が装着ガイド面９１０を通過した後、図１２及び図１３に示すように、係合フランジ７１ａが第１係合部９０ａと第２係合部９０ｂとの間に介装されて、装着体７２への装着が完了する。
一方、以上のように装着体７２に装着された蓋本体７１を取り外す場合には、蓋本体７１を装着体７２に対して強制的に下方に押し下げるだけでよいのであって、蓋本体７１の下方への押し込みに伴い、係合フランジ７１ａが取り外しガイド面９３０を介して案内されながら弾性変形する。
そして、係合フランジ７１ａの外周縁が取り外しガイド面９３０を通過した段階で、蓋本体７１を装着体７２に対して下方にくぐらせて、蓋本体７１を装着体７２から取り外すことが出来る。
【００２９】
また図１４に示す実施形態では、着脱手段９を、係合フランジ７１ａの上面側が係合可能な第１係合部９１ａと、係合フランジ７１ａの下面側が係合可能な断面二等辺三角形状の第２係合部９１ｂから構成している。
第１係合部９１ａは、図１４にも示すように、円筒状の装着体７２の上部側を上端に向かうに従ってその内周面が内方に傾斜するように絞り込んで、この絞り込まれた部分の内周面を係合フランジ７１ａの上方への移動を阻止する阻止面９４０としている。
また第２係合部９１ｂは、断面二等辺三角形状に形成して、蓋本体７１の装着体７２への装着時、係合フランジ７１ａを装着方向に案内するための装着ガイド面９５０と、装着した蓋体７１の装着体７２からの取り外し時、係合フランジ７１ａを取り外し方向に案内するための取り外しガイド面９６０が設けられている。
【００３０】
以上の構成から成る飲食物搬送用収容体５において、蓋本体７１を装着体７２に装着するには、蓋本体７１を装着体７２の下方からこの装着体７２内に挿入すればよいのであって、蓋本体７１を装着体７２の下方からこの装着体７２内に挿入するに伴い、係合フランジ７１ａが装着ガイド面９５０を介して案内されながら弾性変形する。
そして、係合フランジ７１ａの外周縁が装着ガイド面９５０を通過した後、図１４に示すように、係合フランジ７１ａが阻止面９４０で受け止められて、蓋本体７１の装着体７２への装着が完了する。
一方、以上のように装着体７２に装着された蓋本体７１を取り外す場合には、蓋本体７１を装着体７２に対して強制的に下方に押し下げるだけでよいのであって、蓋本体７１の下方への押し下げに伴い、係合フランジ７１ａが取り外しガイド面９６０を介して案内されながら弾性変形する。
そして、係合フランジ７１ａの外周縁が取り外しガイド面９６０を通過した段階で、蓋本体７１を装着体７２に対して下方に向ってくぐらせれば、蓋本体７１を装着体７２から取り外すことが出来る。
【符号の説明】
【００３１】
３      飲食物搬送装置
３２    フラットチエンコンベア（搬送路）
４      皿（容器）
５      飲食物搬送用収容体
６      載置台
６０    容器載置部
７      蓋体
７１    蓋本体
７１ａ  係合フランジ
７２    装着体
８      開閉機構
９      着脱手段
９ａ    第１係合部
９ｂ    第２係合部
Ｆ      寿司（飲食物）
【図１】
0005824373.tif 000002
【図２】
0005824373.tif 000003
【図３】
0005824373.tif 000004
【図４】
0005824373.tif 000005
【図５】
0005824373.tif 000006
【図６】
0005824373.tif 000007
【図７】
0005824373.tif 000008
【図８】
0005824373.tif 000009
【図９】
0005824373.tif 000010
【図１０】
0005824373.tif 000011
【図１１】
0005824373.tif 000012
【図１２】
0005824373.tif 000013
【図１３】
0005824373.tif 000014
【図１４】
0005824373.tif 000015
【図１５】
0005824373.tif 000016
【図１６】
0005824373.tif 000017